(57)【特許請求の範囲】
【請求項１】
天井に機器を取付けるように形成した取付用開口と、この取付用開口より天井裏に挿入される形状で下面側に外方に突出する取付フランジを設けた機器と、この機器の外周に上方に向け折畳み自在で前記天井の上面側を押さえるように可動する複数の押さえ金具と、この押さえ金具と前記天井の上面間に介在させる環状の取付板とを備え、前記取付板を前記取付用開口に曲げて挿入できるように形成し、前記取付用開口の上面側の周辺部に配設した機器の取付装置であって、前記環状の取付板は、その下面に中央の孔と同心円状で前記天井の上面側に当接するリング状の突起リブを設け、前記押さえ金具で圧せられて前記リング状の突起リブが前記天井の上面側に密接して、取付けられることを特徴とする機器の取付装置。
【発明の詳細な説明】
【０００１】
【発明の属する技術分野】
本発明は、天井裏にダクトを配管し、換気を行う機器等を天井に取付ける機器の取付装置に関する。
【０００２】
【従来の技術】
近年、天井裏の空間を利用するため機器を天井に取付けることが普及しており、特に気密性を高めるために天井の上面に気密シートを設けている場合の気密性が確保でき施工性の良い機器の取付装置の要求が高まってきている。
【０００３】
従来、この種の機器の取付装置の一例として図１８に示すものが知られていた。以下、その構成について図１８を参照しながら説明する。
【０００４】
図に示すように、機器１０１を取付ける機器取付部材１０２を、天井材１０３を天井面に施工する前にあらかじめ天井裏１０４内に設けたのち、気密シート１０５および天井材１０３を天井面に施工し、天井材１０３および気密シート１０５に機器１０１の取付用開口１０６を開口し、取付用開口１０６の上面側の周縁部に機器取付部材１０２の下面が当接するように機器取付部材１０２を移動させ、機器１０１を取付用開口１０６に下方より挿入し、機器取付部材１０２と接合して取付けていた。
【０００５】
【発明が解決しようとする課題】
このような従来の機器の取付装置の構成では、天井材１０３を天井面に施工する前にあらかじめ機器取付部材１０２を天井裏１０４内に設けておき、天井材１０３や気密シート１０５を施工後、機器１０１の取付用開口１０６を開口し、あらかじめ設置しておいた機器取付部材１０２を移動し、取付用開口１０６と合致する必要があるため、機器取付部材１０２の設置や移動が困難で施工性が悪く機器取付部材１０２に大形のものが必要になるという課題があった。
【０００６】
本発明は、上記課題を解決するもので、構造が簡単で施工性が良く、かつ気密性の高い機器の取付装置を提供することを目的とする。
【０００７】
【課題を解決するための手段】
本発明の機器の取付装置においては、天井に機器を取付けるように形成した取付用開口と、この取付用開口より天井裏に挿入される形状で下面側に外方に突出する取付フランジを設けた機器と、この機器の外周に上方に向け折畳み自在で前記天井の上面側を押さえるように可動する複数の押さえ金具と、この押さえ金具と前記天井の上面側に介在させる環状の取付板とを備え、前記取付板を前記取付用開口に曲げて挿入できるように形成し、前記取付用開口の上面側の周辺部に配設した機器の取付装置であって、前記環状の取付板は、その下面に中央の孔と同心円状で前記天井の上面側に当接するリング状の突起リブを設け、前記押さえ金具で圧せられて前記リング状の突起リブが前記天井の上面側に密接して、取付けられるものである。
【０００８】
この本発明によれば、構造が簡単で施工性が良く、かつ気密性の高い機器の取付装置を提供することができる。
【０００９】
【発明の実施の形態】
本発明の請求項１に記載の機器の取付装置は、天井に機器を取付けるように形成した取付用開口と、この取付用開口より天井裏に挿入される形状で下面側に外方に突出する取付フランジを設けた機器と、この機器の外周に上方に向け折畳み自在で前記天井の上面側を押さえるように可動する複数の押さえ金具と、この押さえ金具と前記天井の上面間に介在させる環状の取付板とを備え、前記取付板を前記取付用開口に曲げて挿入できるように形成し、前記取付用開口の上面側の周辺部に配設した機器の取付装置であって、前記環状の取付板は、その下面に中央の孔と同心円状で前記天井の上面側に当接するリング状の突起リブを設け、前記押さえ金具で圧せられて前記リング状の突起リブが前記天井の上面側に密接して、取付けられるものであり、リング状の突起リブが天井材の表面に線接触となり、リング状の突起リブにより天井裏との気密が簡単な構造で容易に確保しながら機器を取付けられるという作用を有する。
【００１０】
以下、本発明の実施の形態について、図１〜図１７を参照しながら説明する。
（実施の形態１）
図１〜図３に示すように、天井面に機器１を取付けるように天井材２および気密シート３に取付用開口４を形成し、取付用開口４より天井裏５に挿入される形状で、下面側に外方に突出する取付フランジ６を設けた機器１の外周に上方に向け折畳み自在で天井材２の上面側を押さえるように調整ねじ７により可動する複数の押さえ金具８を設け、押さえ金具８と天井材２の上面間に介在させる環状の取付板９を、取付用開口４に曲げて挿入できるように柔軟性の材料で形成し、取付用開口４の上面側の周辺部に配設するように構成する。
【００１１】
上記構成において、機器１を天井に設けた取付用開口４に取付けるときには、取付用開口４より柔軟性のある取付板９を曲げて内部に挿入し、取付用開口４の周辺部にほぼ取付用開口４と同心円状に配設したのち、機器１の押さえ金具８を機器１側に折畳んだ状態で取付用開口４内に機器１を挿入し、押さえ金具８を取付板９上に自重により傾倒したのち、調整ねじ７を操作して押さえ金具８を可動し、天井材２と気密シート３上に取付板９を圧し、天井材２の下面を機器１に設けた取付フランジ６で受けるようにして機器１を取付ける。
【００１２】
このように本発明の実施の形態１の機器１の取付装置によれば、天井に設けた機器１の取付用開口４より取付板９を曲げて挿入し内部で取付用開口４の周辺部に配設したのち、機器１を取付用開口４より挿入し、機器１に設けた押さえ金具８を取付板９上に圧し、機器１に設けた取付フランジ６と共に、天井材２および気密シート３を挟むことにより、取付るので、気密シート３の上面を圧する取付板９を取付用開口４より挿入し配設することができ、構造が簡単で施工性の良い機器の取付装置が得られる。
【００１３】
（実施の形態２）
図４〜図６に示すように、取付用開口４に曲げて挿入できるように形成した環状の取付板９Ａの下面に中央の孔１０と同心円状で天井の上面側に当接するリング状の突起リブ１１を設けた構成とする。
【００１４】
上記構成について、取付用開口４より天井裏５に挿入され、取付用開口４の周辺部に配設された取付板９Ａは、取付板９Ａに設けたリング状の突起リブ１１が天井材２の表面に設けた気密シート３に密接し取付けられる。
【００１５】
このように本発明の実施の形態２の機器の取付装置によれば、取付板９Ａの下面にリング状の突起リブ１１を設けたので、リング状の突起リブ１１が天井材２の表面に設けた気密シート３に食い込む線接触となり、リング状の突起リブ１１により天井裏５との気密が簡単な構造で容易に確保しながら機器１を取付けることができる。
【００１６】
（実施の形態３）
図７〜図９に示すように、取付用開口４に曲げて挿入できるように形成した取付板９Ｂの中央の孔１０Ａの周縁部に天井に設けた取付用開口４に嵌挿する取付リング１２を設けた構成とする。
【００１７】
上記構成において、取付用開口４より取付板９Ｂを曲げて天井裏５に挿入し、取付板９Ｂに設けた取付リング１２を取付用開口４に嵌挿し、環状部分を取付用開口４の周辺部に配設する。
【００１８】
このように本発明の実施の形態３の機器の取付装置によれば取付板９Ｂの中央の孔１０Ａの周縁部に天井に設けた取付用開口４から挿入し、取付リング１２を取付用開口４に嵌挿することにより機器１の取付時に取付板９Ｂが移動するのが阻止され、機器１の取付けが容易となると共に、取付用開口４の側面が被覆されることとなる。
【００１９】
（実施の形態４）
図１０および図１１に示すように、取付板９Ｃを中央で２つ折り曲げ可能な折れ線１３を設けた構成とする。
【００２０】
上記構成において、天井に設けた取付用開口４に挿入するときには、取付板９Ｃを折れ線１３によりほぼ２つ折りの半ドーナツ状に折り曲げて取付用開口４より挿入し、取付用開口４の上面の周辺部に展開し環状の取付板９Ｃを配設する。
【００２１】
このように本発明の実施の形態４の機器の取付装置によれば、取付板９Ｃを中央で２つ折りに折り曲げ可能に形成したので、取付板９Ｃを硬質材で形成しても取付用開口４より挿入できることとなり、取付用開口４の上面側周辺部を強固に押さえることができ、施工も簡単にできることとなる。
【００２２】
（実施の形態５）
図１２および図１３に示すように、硬質材で形成した半ドーナツ板１４をヒンジ１５を介して環状に接合して、取付板９Ｄを構成する。
【００２３】
上記構成において、取付板９Ｄを天井に開口した取付用開口（図示せず）に挿入するときには、ヒンジ１５部分により折り曲げて挿入し、内部で環状に拡げて配設する。
【００２４】
このように本発明の実施の形態５の機器の取付装置によれば、半ドーナツ板１４を種々の材料で形成することができると共に、取付用開口の上面周辺部を強固に押さえることができ、施工も簡単にできることとなる。
【００２５】
（実施の形態６）
図１４および図１５に示すように、折り曲げ自在にヒンジ１５Ａを設けた取付板９Ｅを樹脂一体成形して構成する。
【００２６】
上記構成において、取付板９Ｅを天井に開口した取付用開口（図示せず）に挿入するときには、ヒンジ１５Ａ部分により折り曲げて挿入し、内部で環状に拡げて配設する。
【００２７】
このように本発明の実施の形態６の機器の取付装置によれば、折り曲げ自在にヒンジ１５Ａを設けた取付板９Ｅを樹脂で一体形成したので、取付板９Ｅが結露しにくくなると共に、一体成形することによりコストダウンを図ることができる。
【００２８】
（実施の形態７）
図１６および図１７に示すように、薄肉部１６で連結した環状の取付板９Ｆの表と裏の両面にリング状の突起リブ１１Ａを設け、樹脂で一体成形して構成する。
【００２９】
上記構成において、取付板９Ｆを天井に開口した取付用開口（図示せず）に挿入するときには、薄肉部１６により折り曲げて挿入し、内部で環状に拡げて配設することにより、リング状の突起リブ１１Ａが天井材の表面に設けた気密シート（図示せず）に線接触する。このとき、リング状の突起リブ１１Ａは取付板９Ｆの両面に設けられているので、いずれの面を気密シート側に向けても良いこととなる。
【００３０】
このように本発明の実施の形態７の機器の取付装置によれば、薄肉部１６で連結した環状の取付板９Ｆの表と裏の両面にリング状の突起リブ１１Ａを設けたので、取付板９Ｆをいずれの面側に折り曲げて施工してもリング状の突起リブ１１Ａは必ず天井面側に対向するので、施工が容易で取付ミスもなくなると共に、気密性も確保することができる。
【００３１】
なお、実施の形態２〜実施の形態７においては機器自体の取付けについては説明を省略しておりますが、機器自体の取付けは実施の形態１と同様に取り付けられるものである。
【００３２】
【発明の効果】
以上の実施の形態から明らかなように、本発明によれば天井に機器を取付けるように形成した取付用開口と、この取付用開口より天井裏に挿入される形状で下面側に外方に突出する取付フランジを設けた機器と、この機器の外周に上方に向け折畳み自在で天井の上面側を押さえるように可動する複数の押さえ金具と、この押さえ金具と天井の上面間に介在させる環状の取付板とを備え、前記取付板を前記取付用開口に曲げて挿入できるように形成し、前記取付用開口の上面側の周辺部に配設したので、構造が簡単で天井を形成後でも施工することができる施工性の良い機器の取付装置を提供できる。
【００３３】
また、取付用開口に曲げて挿入できるように形成した取付板の下面に中央の孔と同心円状で天井の上面側に当接するリング状の突起リブを設けたので、天井との線接触により気密性を確実にすることができる。
【００３４】
また、取付用開口に曲げて挿入できるように形成した取付板の中央の孔の周縁部に天井に設けた取付用開口に嵌挿する取付リングを設けたので、取付板の位置決めが可能となり施工が容易となる。
【００３５】
また、取付板を中央で２つ折りに折り曲げ可能に形成したので、施工を簡単に行うことができる。
【００３６】
また、半ドーナツ板をヒンジを介して接合し取付板を形成したので、種々の材料で形成することができると共に、取付用開口の上面周辺部を強固に押さえることができ、施工も簡単にできる。
【００３７】
また、折り曲げ自在にヒンジを設けた取付板を樹脂で一体成形したので、結露が防止されると共にコストダウンを図ることができる。
【００３８】
また、薄肉部で連結した環状の取付板の表と裏の両面にリング状の突起リブを設けたので、取付ミスを防止することができ、気密性を確保できる。
【図面の簡単な説明】
【図１】本発明の実施の形態１の機器の取付装置の構成を示す断面図
【図２】同機器の取付装置の取付板の構成を示す側面図
【図３】同機器の取付装置の取付板の構成を示す下面図
【図４】本発明の実施の形態２の機器の取付装置の構成を示す断面図
【図５】同機器の取付装置の取付板の構成を示す側面図
【図６】同機器の取付装置の取付板の構成を示す下面図
【図７】本発明の実施の形態３の機器の取付装置の構成を示す断面図
【図８】同機器の取付装置の取付板の構成を示す側面図
【図９】同機器の取付装置の取付板の構成を示す下面図
【図１０】本発明の実施の形態４の機器の取付装置の取付板の挿入時の状態を示す断面図
【図１１】同機器の取付装置の取付板の構成を示す上面図
【図１２】本発明の実施の形態５の機器の取付装置の取付板の構成を示す側面図
【図１３】同機器の取付装置の取付板の構成を示す上面図
【図１４】本発明の実施の形態６の機器の取付装置の取付板の構成を示す側面図
【図１５】同機器の取付装置の取付板の構成を示す上面図
【図１６】本発明の実施の形態７の機器の取付装置の取付板の構成を示す側面図
【図１７】同機器の取付装置の取付板の構成を示す下面図
【図１８】従来の機器の取付装置の構成を示す断面図
【符号の説明】
１  機器
４  取付用開口
５  天井裏
６  取付フランジ
８  押さえ金具
９  取付板
９Ａ  取付板
９Ｂ  取付板
９Ｃ  取付板
９Ｄ  取付板
９Ｅ  取付板
９Ｆ  取付板
１０  孔
１０Ａ  孔
１１  リング状の突起リブ
１１Ａ  リング状の突起リブ
１２  取付リング
１４  半ドーナツ板
１５  ヒンジ
１５Ａ  ヒンジ
１６  薄肉部
【図１】
0003739931.tif 000002
【図２】
0003739931.tif 000003
【図３】
0003739931.tif 000004
【図４】
0003739931.tif 000005
【図５】
0003739931.tif 000006
【図６】
0003739931.tif 000007
【図７】
0003739931.tif 000008
【図８】
0003739931.tif 000009
【図９】
0003739931.tif 000010
【図１０】
0003739931.tif 000011
【図１１】
0003739931.tif 000012
【図１２】
0003739931.tif 000013
【図１３】
0003739931.tif 000014
【図１４】
0003739931.tif 000015
【図１５】
0003739931.tif 000016
【図１６】
0003739931.tif 000017
【図１７】
0003739931.tif 000018
【図１８】
0003739931.tif 000019